(57)【要約】【課題】  並列接続された連続加圧脱水機における各脱水機の抵抗値を均一化して、全体としてケーキ含水率を低減することができる連続加圧脱水機の制御方法を提供すること。【解決手段】  入口側より供給した汚泥を２枚の円盤スクリーン間に形成したろ過室内を通過させて脱水処理した後、背圧調整弁を備えた出口側より脱水ケーキとして排出する連続加圧脱水機を並列に複数個接続した連続加圧脱水機の制御方法であって、各脱水機に流れ込んでいる汚泥の流量を算出し、この流量に基いて前記背圧調整弁の圧力値を制御して、各脱水機の抵抗値を均一にするようにした。【選択図】      図１
2006198482.tif 000002
【特許請求の範囲】
【請求項１】
入口側より供給した汚泥を２枚の円盤スクリーン間に形成したろ過室内を通過させて脱水処理した後、背圧調整弁を備えた出口側より脱水ケーキとして排出する連続加圧脱水機を並列に複数個接続した連続加圧脱水機の制御方法であって、各脱水機に流れ込んでいる汚泥の流量を算出し、この流量に基いて前記背圧調整弁の設定圧力値を制御して、各脱水機の汚泥流量を均一化することを特徴とする連続加圧脱水機の制御方法。
【請求項２】
各脱水機に流れ込んでいる汚泥の流量を、汚泥流入配管外部に設置したマイクロフォンにより音圧レベルとして検出し、この音圧レベルと汚泥流量の相関関係に基いて算出する請求項１に記載の連続加圧脱水機の制御方法。
【請求項３】
背圧調整弁の設定圧力値を、マイクロフォンにより検出した音圧レベルに比例するように制御する請求項２に記載の連続加圧脱水機の制御方法。
【発明の詳細な説明】
【技術分野】
【０００１】
本発明は、並列接続された連続加圧脱水機における各脱水機の抵抗値を均一化して、全体としてケーキ含水率を低減することができる連続加圧脱水機の制御方法に関するものである。
【背景技術】
【０００２】
従来から、下水汚泥などのろ過が困難な汚泥を脱水するのに、フィルタープレスやベルトプレス等の加圧脱水機に比べて小型で設置面積が小さく、またろ過効率も高い等の利点を有している連続加圧脱水機が用いられている。この連続加圧脱水機は、入口側より供給した汚泥を２枚の円盤スクリーン間に形成したろ過室内を通過させて脱水処理した後、出口側より脱水ケーキとして排出するものであり、例えば出願人の製品である「ＮＧＫロータリプレスフィルタ」や特許文献１に示されるような回転式の連続加圧脱水機を用いることが知られている。
【０００３】
このような加圧脱水機は、多数台が並列接続されて使用に供されるのが普通で、この場合、汚泥供給源の元圧は一定であるものの、各脱水機への汚泥分配量は各脱水機内部の抵抗値に反比例して分配されてしまっていた。このため、腐敗した混合汚泥に対して各脱水機のケーキ含水率に大きな差が出てしまい、不安定な運転状況になるという問題点があった。また、ケーキ含水率の差のためにケーキの内部圧力に差がつき過ぎ、脱水機の抵抗値とケーキの内部圧力の相乗効果で抵抗値が大きくなってしまい、抵抗値大となった脱水機には汚泥がほとんど供給されなくなり、残りの脱水機への負担が大きくなって全体的なケーキ含水率の増加に繋がるという問題点があった。更には、このような不安定な運転状況になるとオペレータが常駐して運転を監視せねばならないという問題点もあった。
【特許文献１】国際公開ＷＯ00/16970
【発明の開示】
【発明が解決しようとする課題】
【０００４】
本発明は上記のような問題点を解決して、並列接続された連続加圧脱水機における各脱水機の抵抗値を均一化して全体としてケーキ含水率を低減することができ、また各脱水機の処理能力を満遍なく引き出して効率的な運転を維持することができる連続加圧脱水機の制御方法を提供することを目的として完成されたものである。
【課題を解決するための手段】
【０００５】
上記課題を解決するためになされた本発明の連続加圧脱水機の制御方法は、入口側より供給した汚泥を２枚の円盤スクリーン間に形成したろ過室内を通過させて脱水処理した後、背圧調整弁を備えた出口側より脱水ケーキとして排出する連続加圧脱水機を並列に複数個接続した連続加圧脱水機の制御方法であって、各脱水機に流れ込んでいる汚泥の流量を算出し、この流量に基いて前記背圧調整弁の設定圧力値を制御して、各脱水機の汚泥流量を均一化することを特徴とするものである。
【０００６】
なお、各脱水機に流れ込んでいる汚泥の流量は、汚泥流入配管外部に設置したマイクロフォンにより音圧レベルとして検出し、この音圧レベルと汚泥流量の相関関係に基いて算出することができる。
また、背圧調整弁の設定圧力値は、マイクロフォンにより検出した音圧レベルに比例するように制御するものである。
【発明の効果】
【０００７】
本発明では、各脱水機に流れ込んでいる汚泥の流量を算出し、この流量に基いて前記背圧調整弁の設定圧力値を制御して、各脱水機の抵抗値のバラツキをなくすようにしたので、各脱水機における汚泥の流量が均等になり、各脱水機の処理能力を満遍なく引き出して全体としてケーキの含水率を効果的に低減することが可能となる。また、安価なマイクロフォンを利用することにより、高価な流量計を設置しなくても汚泥流量の均一化を図ることができることとなる。
【発明を実施するための最良の形態】
【０００８】
以下に、図面を参照しつつ本発明の好ましい形態を示す。
図１は、一例として回転式の連続加圧脱水機の斜視図を示すもので、１はケーシング本体、２は汚泥流入配管、３は汚泥入口、４は出口であり、入口側より供給した汚泥を２枚の円盤スクリーン５，５間に形成したろ過室内を通過させて脱水処理した後、出口側より脱水ケーキとして排出するものである。また、出口４には背圧板６ａにより設定圧力値が調整される可動式の背圧調整弁６が設置されており、脱水ケーキの排出量を調整する構造となっている。
【０００９】
更に、図２に示されるように、汚泥流入配管２には管内を流通する汚泥により発生する音波を音圧レベルとして検出するマイクロフォン７が設置されている。なお、８は出口側における圧力を測定して前記背圧調整弁６の設定圧力値にフィードバックするための圧力センサーである。
このような連続加圧脱水機は、例えば、図３に示すような汚泥の処理システムに組み込まれて使用に供することができる。
【００１０】
本発明は、上記のような連続加圧脱水機を並列に複数個（例えば、２〜６台）接続した連続加圧脱水機を制御する方法であり、各脱水機に流れ込んでいる汚泥の流量を算出し、この流量に基いて前記背圧調整弁の設定圧力値を制御して、各脱水機の汚泥流量を均一化するように制御するものである。
即ち、本発明では各脱水機に流れ込んでいる汚泥の流量を算出し、この流量に基いて背圧調整弁の設定圧力値を制御して、各脱水機の抵抗値のバラツキをなくすようにしたので、各脱水機における汚泥流量が均一化されるように汚泥が分配供給されることとなり、各脱水機から排出する脱水ケーキの含水率に差が出なくなることを究明したのである。
【００１１】
各脱水機に流れ込んでいる汚泥の流量の算出方法としては、汚泥流入配管２の外部に設置したマイクロフォン７により、配管内を流体が通過することにより発生する音波を音圧レベルとして検出し、この音圧レベルと汚泥流量の相関関係に基いて算出することができる。そして、脱水機の出口圧力を圧力センサー８で検出し、この出口圧力値と背圧調整弁６の設定圧力値と汚泥流量とから、背圧調整弁６の圧力値を制御するのである。
【００１２】
具体的には、図４のフローチャートに示すように、各脱水機のマイクロフォン７の音圧レベル情報を集め、これらの音圧レベルの比率で背圧調整弁の圧力値を各マイクロフォンの音圧レベルが均一になるように制御する。本発明では、前記背圧調整弁６の設定圧力値を、マイクロフォン７により検出した音圧レベルに比例、若しくはほぼ比例するような関係で制御する。
なお、この制御には、全脱水機の背圧部圧力の平均値を、設定圧力値に近づける背圧調整弁６の圧力制御も含むものである。
【００１３】
本発明の制御方法をより具体的に説明すると、各脱水機からの流量情報であるマイクロフォン７により検出した音圧レベルをマイクロコンピュータに入力し、増幅・初期ノイズ除去を行った後、例えば各脱水機の流量情報の平均値を１とした場合の流量比率と設定圧力値との積を算出して、各脱水機の制御圧力として出力し、各脱水機に設置されている背圧調整弁６の制御用圧力センサーの圧力値が、各脱水機の制御圧力に近づく方向に各電気式圧力調整器（電空レギュレータ）を制御するのである。
例えば、ＮＯ．１〜ＮＯ．４の脱水機が接続されているとして、各脱水機の音圧レベルが順に２．５、３．０、２．０、２．５であった場合に、音圧レベルの平均値２．５を１とすると、各音圧レベルの比率は順に１．０、１．２、０．８、１．０となり、この比率を設定圧力値Ａに掛けて各脱水機の設定圧力値を順にＡ、１．２×Ａ、０．８×Ａ、Ａとなるように設定するのである。これにより、汚泥流量が多い脱水機では背圧調整弁６の設定圧力値がより高く、汚泥流量が少ない脱水機では背圧調整弁６の設定圧力値がより低くなって、各脱水機の汚泥流量が均一になるのである。
【００１４】
以上の説明からも明らかなように、本発明の連続加圧脱水機の制御方法は、各脱水機に流れ込んでいる汚泥の流量を算出し、この流量に基いて背圧調整弁の設定圧力値を制御して、各脱水機の汚泥流量を均一化するものであり、各脱水機の処理能力を満遍なく引き出して全体としてケーキの含水率を効果的に低減することができることとなる。また、安価なマイクロフォンを利用することにより、高価な流量計を設置しなくても汚泥流量の均一化を図ることができるという利点もある。
【図面の簡単な説明】
【００１５】
【図１】本発明の連続加圧脱水機を示す斜視図である。
【図２】汚泥流入配管を示す斜視図である。
【図３】汚泥の処理システムを示す説明図である。
【図４】本発明の制御方法を示すフローチャートである。
【符号の説明】
【００１６】
１  ケーシング本体
２  汚泥流入配管
３  汚泥入口
４  出口
５  円盤スクリーン
６  背圧調整弁
６ａ  背圧板
７  マイクロフォン７
８  圧力センサー
【図１】
2006198482.tif 000003
【図２】
2006198482.tif 000004
【図３】
2006198482.tif 000005
【図４】
2006198482.tif 000006